(57)【特許請求の範囲】
【請求項１】
被覆基材に高熱伝導能力がある厚膜素子であって、担体と、担体上に被覆された厚膜コーティング層と、厚膜コーティング層上を覆う被覆層とを含み、前記厚膜コーティング層が加熱材料で、加熱方式が電気加熱で、前記担体、前記厚膜コーティング層及び前記被覆層について、以下の各不等式を満たした材料から選ばれ、
0006315643.tif 000020
前記λ１は、前記被覆層がＴ１の時の熱伝達係数を表わし、前記λ２は、前記厚膜コーティング層がＴ２の時の熱伝達係数を表わし、前記λ３は、前記担体がＴ３の時の熱伝達係数を表わし、
前記Ａは、前記厚膜コーティング層と被覆層或いは前記担体との接触面積を表わし、
前記ｄ１は、前記被覆層の厚さを表わし、前記ｄ２は、前記厚膜コーティング層の厚さを表わし、前記ｄ３は、前記担体の厚さを表わし、
前記Ｔ０は、厚膜発熱体の初期温度を表わし、前記Ｔ１は、前記被覆層の表面温度を表わし、前記Ｔ２は、前記厚膜コーティング層の加熱温度を表わし、前記Ｔ３は、前記担体の表面温度を表わし、
前記厚膜コーティング層の厚さは、ｄ２≦５０マイクロメートルであり、
且つ、ｄ１≧１０マイクロメートル、２０センチメートル≧ｄ３≧１０マイクロメートルとし、
前記Ｔ担体の最低融点＞２５℃であり、
前記担体の熱伝達係数λ３≧前記被覆層の熱伝達係数λ１であることを特徴とする厚膜素子。
【請求項２】
前記担体の熱伝達係数λ３≧３Ｗ／ｍ．ｋとし、前記被覆層の熱伝達係数λ１≦３Ｗ／ｍ．ｋとし、前記１０≦ａ≦１０４、１０４≦ｂ≦１０６、１０≦ｃ≦１０３とすることを特徴とする請求項１に記載の厚膜素子。
【請求項３】
前記担体と前記厚膜コーティング層の間は、印刷或いは焼結を通じて結合し、前記厚膜コーティング層と前記被覆層が印刷又はコーティング或いは吹付塗装及び／または焼結又はバインダーを通じて結合することを特徴とする請求項１に記載の厚膜素子。
【請求項４】
前記担体と前記被覆層の間に厚膜コーティング層がない領域は、印刷又は焼結を通じて結合することを特徴とする請求項２に記載の厚膜素子。
【請求項５】
前記担体としては、ポリイミド、有機絶縁材料、無機絶縁材料、セラミック、結晶化ガラス、石英、水晶、石材材料、布地、繊維が挙げられることを特徴とする請求項１に記載の厚膜素子。
【請求項６】
前記厚膜コーティング層としては、銀、プラチナム、パラジウム、酸化パラジウム、金又は希土材料のうちの１種或いは数種が挙げられることを特徴とする請求項１に記載の厚膜素子。
【請求項７】
前記被覆層は、ポリエステル、ポリイミド或いはポリエーテルイミド、セラミック、シリカゲル、アスベスト、雲母板、布地、繊維のうちの１種或いは数種で製造されることを特徴とする請求項１に記載の厚膜素子。
【請求項８】
前記厚膜コーティング層の面積は、前記被覆層又は前記担体の面積より小さいか或いは等しいことを特徴とする請求項１に記載の厚膜素子。
【請求項９】
請求項１乃至請求項８のいずれか一項に記載の厚膜素子の用途であって、被覆基材片面の加熱製品に用いられることを特徴とする厚膜素子の用途。
【発明の詳細な説明】
【技術分野】
【０００１】
本発明は、厚膜分野に関し、特に、被覆基材に高熱伝導能力がある厚膜素子に関する。
【背景技術】
【０００２】
厚膜発熱体とは、基材上において、発熱材料を厚膜として製作し、通電による発熱を行う発熱体をいう。従来の加熱方法は、ヒートパイプによる加熱とＰＴＣ加熱とを含み、ヒートパイプの加熱エレメントが金属管を外覆し、金属管内にらせん状でニクロム合金又は鉄クロム合金を分布してヒーターワイヤとなり、隙間空間に良好な熱伝導性と絶縁性を持つ酸化マグネサイトで充填し、両端をシリカゲルで密封しており、ＰＴＣ加熱エレメントは、ＰＴＣセラミックを発熱材料とする。現在のヒートパイプによる加熱とＰＴＣ加熱の方式は、間接加熱であるため、熱効率が比較的低く、且つ外形体積が大きくてかさばって重く、環境保全という視点から見ると、この２種類のヒーターが繰り返して加熱された後、汚れやすくて掃除しにくく、且つＰＴＣ加熱エレメント内に鉛等の有害物質が含まれ、酸化もしやすく、出力が減衰し、寿命も短い。
【０００３】
特許文献１では、タイルに基づく厚膜回路の抵抗スラリー及びその調製方法が開示され、タイルとマッチできる抵抗スラリーを提供することを目的とし、新型床暖房加熱エレメントの調製のために提供される。その原料は固相成分（結晶性ガラス粉末、銀粉）と有機バインダーとを含み、各原料の重量パーセント含有量は、結晶性ガラス粉末７０〜８５％、有機バインダー１５〜３０％で、以上の重量パーセンテージの和が１００％となり、主に直接タイルの裏面に印刷して、厚膜回路を構成する抵抗スラリーとして使用する。
【０００４】
特許文献２では、厚膜回路装置が開示され、セラミック基板と厚膜回路チップと電線とを含み、厚膜回路チップがセラミック基板上に設けられ、該セラミック基板の外側をエポキシ樹脂層で覆い、電線が２本あり、セラミック基板の両側に接続し、電線とセラミック基板の接続箇所がエポキシ樹脂層内に覆われる。
【０００５】
上記技術から厚膜技術が徐々に発展してきていることが分かるが、現在主に厚膜回路の抵抗スラリーに対する技術の研究開発が比較的多くなっているが、厚膜素子の製品が極めて少なく、上記厚膜回路装置の技術において、セラミック基板とエポキシ樹脂層内に厚膜回路を設けることを実現したが、その熱伝達性能が不十分であり、厚膜回路の製品への応用が、加熱製品の開発を大幅に広げる。現在市場にある加熱装置は加熱性能を満たしているが、片面熱伝達の加熱エレメントが非常に少ない、或いは片面熱伝達効果が思わしくなく、片面に高い熱伝導能力を保たせることで、熱損失を減少させることはできない。
【先行技術文献】
【特許文献】
【０００６】
【特許文献１】中国特許番号第ＣＮ  ２０１３１０４０３４５４．９号
【特許文献２】中国特許番号第ＣＮ  ２０１０２０６２２７５６．７号
【発明の概要】
【発明が解決しようとする課題】
【０００７】
上記問題点を解決するため、本発明は体積が小さく、動作効率が高く、環境保全性に優れ、安全性能も高いと共に寿命が長いという被覆基材に高熱伝導能力がある厚膜素子を提供する。
【０００８】
本発明の前記厚膜の概念は、主に薄膜に比べて言うものとし、厚膜とは担体上において印刷・焼結技術を用いて形成した厚さが数マイクロメートルから数十マイクロメートルまでの膜層をいい、この種の膜層を製造する材料が、厚膜材料と呼ばれ、作製したコーティング層が厚膜コーティング層と呼ばれる。厚膜発熱体は、電力密度が大きく、加熱速度が速く、動作温度も高く、昇温速度も速く、機械的強度も高く、体積が小さく、据付が便利で、加熱による温度場が均一で、寿命が長く、省エネ・エコで、安全等の非常に多くの利点を持っている。
【課題を解決するための手段】
【０００９】
本発明に係る被覆基材に高熱伝導能力がある厚膜素子は、担体と、担体上に被覆された厚膜コーティング層と、厚膜コーティング層上を覆う被覆層とを含み、前記厚膜コーティング層が加熱材料で、加熱方式が電気加熱で、前記担体、厚膜コーティング層及び被覆層について、以下の各不等式を満たした材料から選ばれる。
0006315643.tif 000002
前記λ１は、前記被覆層がＴ１の時の熱伝達係数を表わし、前記λ２は、前記厚膜コーティング層がＴ２の時の熱伝達係数を表わし、前記λ３は、前記担体がＴ３の時の熱伝達係数を表わし、
前記Ａは、前記厚膜コーティング層と被覆層或いは担体との接触面積を表わし、
前記ｄ１は、前記被覆層の厚さを表わし、前記ｄ２は、前記厚膜コーティング層の厚さを表わし、前記ｄ３は、前記担体の厚さを表わし、
前記Ｔ０は、厚膜発熱体の初期温度を表わし、前記Ｔ１は、前記被覆層の表面温度を表わし、前記Ｔ２は、前記厚膜コーティング層の加熱温度を表わし、前記Ｔ３は、前記担体の表面温度を表わし、
前記厚膜コーティング層の厚さは、ｄ２≦５０マイクロメートルであり、
且つ、ｄ１≧１０マイクロメートル、２０センチメートル≧ｄ３≧１０マイクロメートルとし、
前記Ｔ担体の最低融点＞２５℃であり、
前記担体の熱伝達係数λ３≧被覆層の熱伝達係数λ１であり、
前記被覆層とは、印刷或いは／及び焼結又はバインダーによる結合を通じて厚膜コーティング層上を覆う媒体層をいい、被覆層の面積が厚膜コーティング層より大きい。
【００１０】
前記担体とは、厚膜コーティング層を担う媒体層をいい、厚膜コーティング層が印刷又はコーティング或いは吹付塗装若しくは焼結を通じて担体上に被覆され、厚膜素子の被覆基材となる。
【００１１】
前記熱伝達係数とは、安定した伝達条件において、厚さ１ｍの材料の両側表面の温度差が１度（Ｋ、℃）で、１秒間以内（１Ｓ）に、単位面積１ｍ２ごとに熱伝達する熱量をいい、単位をワット毎メートル毎ケルビン（Ｗ／（ｍ・Ｋ）とし、ここでＫとしているが、℃を代替として使用できる）。
【００１２】
厚膜加熱エレメントの電気加熱部位において、被覆層、厚膜コーティング層及び担体は、密に接着し、厚膜コーティング層の両端が外付け電極に接続し、厚膜コーティング層が通電した後、厚膜コーティング層に対し加熱を行い、電気エネルギーを熱エネルギーに変換することで、厚膜コーティング層が発熱を開始し、厚膜コーティング層の発熱速度は、厚膜コーティング層の熱伝達係数、接触面積、初期温度、加熱温度及び厚さの測定を通じると共に式２で算出できる。
0006315643.tif 000003
式中、Ｔ２が厚膜の加熱温度を表わす。
【００１３】
本発明の技術的特徴は、被覆基材の高熱伝導能力を持つ厚膜発熱体であり、被覆層、担体、厚膜コーティング層の発熱速度が以下の幾つかの要求を満たすよう求める。
（１）被覆層の熱伝達率及び担体の熱伝達率の限定条件が、次の関係式を満たすものとし、式中、１０≦ａ≦１０４であり、上記不等式を満たす厚膜素子の担体の発熱能力が被覆層を上回り、つまり担体の昇温速度が速く、被覆層の昇温速度が遅く、或いは安定な熱平衡状態に達した後、被覆層と担体の温度差が比較的大きくなることで、全体的から見ると、厚膜素子が担体加熱の技術的効果を奏する。
0006315643.tif 000004
（２）厚膜コーティング層の発熱速度と被覆層の熱伝達率の限定条件は、次の関係式を満たすものとし、式中、０＜ｂ≦１０６であり、厚膜コーティング層の発熱速度が被覆層の熱伝達率より高すぎる場合、厚膜コーティング層が絶え間なく蓄積されている熱量は直ちに外部に伝導できないことにより、厚膜コーティング層の温度が絶え間なく高くさせ、温度が被覆層の最低融点を超えた時、被覆層が溶け始め、更には燃焼することで、被覆層或いは担体の構造を破壊して、厚膜加熱エレメントを損傷させる。
0006315643.tif 000005
（３）厚膜コーティング層の発熱速度と担体の熱伝達率の限定条件は、次の関係式を満たすものとし、つまり、式中、０≦ｃ≦１０３であり、厚膜コーティング層の発熱速度が担体の熱伝達率より高すぎる場合、厚膜コーティング層が絶え間なく蓄積されている熱量は直ちに外部に放出できないことにより、厚膜コーティング層の温度が絶え間なく高くさせ、温度が担体の最低融点を超えた時、担体が溶け始め、更には燃焼することで、担体の構造を破壊して、厚膜加熱エレメントを損傷させる。
0006315643.tif 000006
（４）加熱温度が高すぎることで厚膜加熱エレメントを損傷しないように、厚膜コーティング層の加熱温度を、被覆層或いは担体の最低融点より高くすることができず、Ｔ２＜Ｔ被覆層の最低融点、Ｔ２＜Ｔ担体の最低融点を満たす必要がある。
【００１４】
上記いくつかの要求を満たすため、被覆層、担体の熱伝達率は、その材料自体の性質及び該厚膜加熱エレメント製品の性能により決定する。
担体の熱伝達率の計算式は、下式で表わす。
0006315643.tif 000007
式中、λ３は、前記担体の熱伝達係数を表わし、単位をＷ／ｍ．ｋとし、担体を調製する材料の性質により決定し、ｄ３は、担体の厚さを表わし、調製工程及び厚膜加熱エレメントの要求により決定し、Ｔ３は、担体の表面温度を表わし、厚膜加熱エレメントの性能により決定する。
被覆層の熱伝達率の計算式は、下式で表わす。
0006315643.tif 000008
式中、λ１は、前記被覆層の熱伝達係数を表わし、単位をＷ／ｍ．ｋとし、被覆層を調製する材料の性質により決定し、ｄ１は、被覆層の厚さを表わし、調製工程及び厚膜加熱エレメントの要求により決定し、Ｔ１は、被覆層の表面温度を表わし、厚膜加熱エレメントの性能により決定する。
【００１５】
好ましくは、前記担体の熱伝達係数λ３≧３Ｗ／ｍ．ｋとし、前記被覆層の熱伝達係数λ１≦３Ｗ／ｍ．ｋとし、前記１０≦ａ≦１０４、１０４≦ｂ≦１０６、１０≦ｃ≦１０３とする。
【００１６】
好ましくは、前記担体と厚膜コーティング層の間は、印刷或いは焼結を通じて結合し、前記厚膜コーティング層と被覆層が印刷又はコーティング或いは吹付塗装及び／または焼結又はバインダーを通じて結合する。
【００１７】
好ましくは、前記担体と被覆層の間に厚膜コーティング層がない領域は、印刷又はコーティング或いは吹付塗装及び／または焼結又はバインダーを通じて結合する。
【００１８】
好ましくは、前記担体としては、ポリイミド、有機絶縁材料、無機絶縁材料、セラミック、結晶化ガラス、石英、水晶、石材材料、布地、繊維が挙げられる。
【００１９】
好ましくは、前記厚膜コーティング層としては、銀、プラチナム、パラジウム、酸化パラジウム、金又は希土材料のうちの１種或いは数種が挙げられる。
【００２０】
好ましくは、前記被覆層は、ポリエステル、ポリイミド或いはポリエーテルイミド、セラミック、シリカゲル、アスベスト、雲母板、布地、繊維のうちの１種或いは数種で製造されるものとする。
【００２１】
好ましくは、前記厚膜コーティング層の面積は、被覆層又は担体の面積より小さいか或いは等しい。
【００２２】
本発明に係る厚膜素子の用途は、被覆基材の発熱製品に用いられる。
【発明の効果】
【００２３】
１、本発明の厚膜素子の被覆基材が高熱伝導能力を持ち、被覆基材の発熱製品に適し、熱伝達効率を高め、両面を加熱する必要がない状態下の熱エネルギーの損失が減少する。
２、本発明の厚膜素子は、３層構造を用いて印刷又は焼結を通じて直接結合し、厚膜コーティング層が通電した後、担体に対し直接加熱し、他の媒体を経ることなく、熱エネルギーを担体に直接伝導することで、熱伝導効率を高め、且つ本発明の被覆層は、厚膜コーティング層を覆うことで、厚膜コーティング層が通電した後の漏電問題を避け、安全性能を向上する。
３、本発明の厚膜素子は、厚膜コーティング層を用いて加熱したもので、コーティングの厚さがミクロンオーダであり、通電した後の発熱速度が均一で、且つ寿命が長い。
【発明を実施するための形態】
【００２４】
以下、添付図面を組み合わせて本発明の具体的実施形態を詳細に説明する。
【００２５】
本発明に係る被覆基材に高熱伝導能力がある厚膜素子は、担体と、担体上に被覆された厚膜コーティング層と、厚膜コーティング層上を覆う被覆層とを含み、前記厚膜コーティング層が加熱材料で、加熱方式が電気加熱で、前記担体、厚膜コーティング層及び被覆層について、以下の各不等式を満たした材料から選ばれる。
0006315643.tif 000009
前記厚膜コーティング層の厚さは、ｄ２≦５０マイクロメートルであり、
且つ、ｄ１≧１０マイクロメートル、２０センチメートル≧ｄ３≧１０マイクロメートルとし、
前記Ｔ担体の最低融点＞２５℃であり、
前記担体の熱伝達係数λ３≧被覆層の熱伝達係数λ１である。
【００２６】
下記実施例において本出願人が調製した２０種類の厚膜素子を提供し、この２０種類の厚膜素子の被覆層、厚膜コーティング層、担体の調製材料は、上記不等式を満たす材料から選ばれ、具体的調製方法及び関係は次の通りとする。
【実施例】
【００２７】
熱伝達係数がλ２の銀ペースト材料を選んで厚膜コーティング層を調製し、熱伝達係数がλ３のポリイミド材料を選んで担体を調製し、熱伝達係数がλ１のポリイミド材料を選んで被覆層を調製し、３層材料を焼結によって結合し、調製した厚膜コーティング層の面積はＡ２、厚膜コーティング層の厚さがｄ２とし、被覆層の面積はＡ１、厚さがｄ１とし、担体の面積はＡ３、厚さがｄ３とする。
【００２８】
外付け直流電源のスイッチを入れた後、厚膜コーティング層を通電させると，厚膜が徐々に昇温し、厚膜素子の発熱が安定した後、受熱安定後の被覆層と担体の表面温度及び厚膜コーティング層の加熱温度を測定して得られ、次の計算式である  
0006315643.tif 000010
を通じて被覆層と担体の熱伝達率及び厚膜コーティング層の発熱速度を算出する。
【００２９】
下記表１乃至表４は、本出願人が調製した２０種類の厚膜素子で、厚膜素子を２分間通電加熱した後、国家標準方法で測定して表内の性能データ（熱伝達係数、表面温度）が得られ、厚度・接触面積・初期温度は加熱前に測定する。
【００３０】
被覆層、厚膜コーティング層、担体の熱伝達係数の測定方法としては、
１．電源に接続し、加熱電圧を規定値まで調整し、計器６Ｖの電源スイッチを入れて、２０分間予熱する。
２．スポット検流計のゼロ点校正を行う。
３．室温によりＵＪ３１型の電位差計の基準動作電圧を校正し、電位差計の切替スイッチを標準位置にさせ、電位差計の動作電流を調整する。
標準電池の電圧が温度に伴って変化するため、室温の校正は下式により計算する。
Ｅｔ＝Ｅ０−［３９．９４（ｔ−２０）＋０．９２９（ｔ−２０）２］
式中、Ｅ０＝１．０１８６Ｖ
４．薄い被試験物の下部に加熱板及び下部熱電対を放置し、薄い被試験物の上部に上部熱電対を放置し、熱電対を必ず被試験物の中心位置に置かなければならず、熱電対の冷接点を冷接点用魔法瓶内に入れる。
５．電位差計の切替スイッチを位置１にさせ、被試験物の上下部の初期温度を測定し、温度差が０．００４ｍｖ（０．１℃）を下回った時、引き続き実験できることを求める。
６．上部熱電対の初期熱起電力に事前に０．０８ｍｖを加え、加熱スイッチをオンにして加熱し始め、同時にタイマーでカウントし、スポット検流計のスポットをゼロ点に戻した時、加熱電源をオフにして上部の過剰温度及び加熱時間を得る。
７．４〜５分間経た後、下部熱電対の熱起電力を測定して、下部の過剰温度及び時間を得る。
８．電位差計の切替スイッチを位置２にさせ、加熱スイッチをオンにして加熱電流を測定する。
９．実験が終了し、電源をオフにして、計器を整理する。
【００３１】
温度の測定方法は、熱電対温度計で測定し、
１、温度感知線を発熱部材の発熱コーティング層表面、担体表面、被覆層表面、外気中に接続する。
２、定格電力で発熱体へ通電を行い、各部材の温度をテストする。
３、接続したコンピュータにより製品の各時間帯の各部材の温度であるＴ０、Ｔ１、Ｔ２、Ｔ３を記録する。
【００３２】
厚さの測定方法は、マイクロメータで測定し、積層の平均厚さの方式で測定を行う。
【００３３】
融点の測定方法は、具体的に次の通りとする。
測定器：米国ＴＡ社製の示差走査熱量計、型番 ＤＳＣ２９２０で、該測定器の検定を経て合格（クラスＡ）すること。検定根拠：ＪＧ（教 委）｛０１４-１９９６熱分析装置の検定規程｝
１．環境条件の温度範囲：（２０〜２５）℃、相対湿度：＜８０％。
２．測定器校正用標準物質：熱分析標準物質（インジウム）、標準４２９．７５Ｋ（１５６．６０）。
３．測定過程：測定過程は、「ＧＢ／Ｔ１９４６６．３-２００４／ＩＳ０」を参照のこと。
４．３回繰り返し測定することで、測定器の状態が正常であることを確保してから試料テストを行い、試料計量：（１〜２）ｎａｇ、０．０１ｍｇまでの精度で量りとり、アルミ製バット内に入れ、測定条件：１０ｏｃ／ｍｉｎで２００℃まで昇温し、１０回繰り返し測定し、測定モデルがコンピュータと測定器に伴い試料融点を集録し、測定データに対する自動集録及びスペクトログラム分析を通じて測定でき、融解による吸熱ピークの補外開始温度から直接測定モデルを出し、ベッセルの公式で計算して測定結果が得られる。
【００３４】
表１は、実施例１〜実施例２０における厚膜素子の被覆層を測定した性能データとなる。
【００３５】
【表１】
0006315643.tif 000011
【００３６】
表２は、実施例１〜実施例２０における厚膜素子の厚膜コーティング層を測定した性能データとなる。
【００３７】
【表２】
0006315643.tif 000012
【００３８】
表３は、実施例１〜実施例２０における厚膜素子の担体を測定した性能データとなる。
【００３９】
【表３】
0006315643.tif 000013
【００４０】
表４は、上記表１／表２／表３内の各性能データによって計算して得られた熱伝導率のデータで、また被覆層、厚膜コーティング層、担体の３層の熱伝達率数値の大きさを比の値によって演算して本発明を満たす材料の限定条件が得られ、つまり次の関係式を満たすものである。
0006315643.tif 000014
式中、１０≦ａ≦１０４、０＜ｂ≦１０６、０＜ｃ≦１０３とする。
【００４１】
【表４】
0006315643.tif 000015
【００４２】
表４の結果は、実施例１〜実施例２０で調製された厚膜素子がいずれも不等式を満たし、且つ上記厚膜素子の担体層、つまり被覆基材層が発熱機能を持ち、両面の温度差が４０度以上あり、被覆基材片面の発熱機能を実現し、製品に応用する時、厚膜素子が被覆基材面加熱の状態下にさせて熱損失を減らすことができ、２分間通電した後、温度が最高で１００℃以上にまで上げることができ、本発明の厚膜発熱体の発熱効率が高いことを示した。
【００４３】
表５〜表８は、本発明の厚膜素子に比べる比較例１〜１０の各性能データで、各データのモニタリング方法は、表１〜表４と一緒で、具体的なデータは、次の通りとなる。
【００４４】
【表５】
0006315643.tif 000016
【００４５】
【表６】
0006315643.tif 000017
【００４６】
【表７】
0006315643.tif 000018
【００４７】
【表８】
0006315643.tif 000019
【００４８】
上記表内の比較例１〜１０で提供する厚膜素子は、材料選択及び構造が本発明の材料選択要求に適合せず、本発明の不等式関係を満たさず、通電して加熱した後、比較例１〜１０の両面の発熱昇温の温度差が大きくなく、被覆層と担体面の発熱温度差が１５℃以下となり、このように選択した材料の設置及び調製した厚膜素子は本発明の被覆基材に高熱伝導能力がある厚膜素子の要求に適合せず、本発明の製品要求も満たさず、これをもって本発明内の熱伝達率の関係を実証した。
【００４９】
上記明細書の開示と教示により、当業者は上記実施形態に対し変更及び修正できる。よって、本発明は、以上に開示及び記述した具体的実施形態に限定されることなく、発明について行う若干の修正及び変更も本発明の特許請求の範囲内に入る。また、本明細書内において若干の特定専門用語を使用したが、これら専門用語は、説明の便宜のためのであって、本発明に対しいかなる制限を構成しない。
【要約】
【課題】  被覆基材に高熱伝導能力がある厚膜素子を提供することを課題とする。
【解決手段】  本発明に係る被覆基材に高熱伝導能力がある厚膜素子は、担体と、担体上に被覆された厚膜コーティング層と、厚膜コーティング層上を覆う被覆層とを含み、前記厚膜コーティング層が加熱材料で、加熱方式が電気加熱で、被覆層、厚膜コーティング層及び担体は熱伝達過程中で以下の関係式を満たした材料から選ばれ、
0006315643.tif 000021
式中、１０≦ａ≦１０４、０＜ｂ≦１０６、０＜ｃ≦１０３とし、本発明の厚膜素子の被覆基材が高熱伝導能力を持ち、被覆基材の発熱製品に適し、熱伝達効率を高め、両面を加熱する必要がない状態下の熱エネルギーの損失が減少し、本発明の厚膜発熱体は被覆基材のみに高熱伝導能力がある製品上に応用できるため、市場上の多機能加熱製品の需要を満たすことができる。
【選択図】  なし